(57)【特許請求の範囲】
【請求項１】
商店で健康管理対象物を購入するときにその商店にある情報書込装置によって当該健康管理対象物を摂取したときの栄養量情報とコンテンツ情報とを書き込んだ記憶媒体と、
前記記憶媒体から前記栄養量情報と前記コンテンツ情報を読み込む読込手段と、
前記読込手段で読み込んだコンテンツ情報を使用者に選択させる選択手段と、
前記選択手段で選択されたコンテンツ情報を加工するコンテンツ情報処理手段とを備え、前記コンテンツ情報処理手段は、前記読込手段で読み込んだ栄養量情報が予め設定された摂取栄養量の健康管理目標値に近い値であるほど、前記読込手段で読み込んだコンテンツ情報が長く利用できるように加工する健康管理機器。
【請求項２】
商店で購入した健康管理対象物を摂取したときの栄養量情報とコンテンツ情報とを配信センター装置から受信する受信手段と、
前記受信手段で受信したコンテンツ情報を使用者に選択させる選択手段と、
前記選択手段で選択されたコンテンツ情報を加工するコンテンツ情報処理手段とを備え、前記コンテンツ情報処理手段は、前記受信手段で受信した栄養量情報が予め設定された摂取栄養量の健康管理目標値に近い値であるほど、前記受信したコンテンツ情報が長く利用できるように加工する健康管理機器。
【請求項３】
商店で健康管理対象物を購入するときにその商店にある情報書込装置によって当該健康管理対象物を摂取したときの栄養量情報とコンテンツ情報とを記憶媒体に書き込むステップと、
前記記憶媒体から前記栄養量情報と前記コンテンツ情報を読み込むステップと、
前記読み込んだコンテンツ情報を使用者に選択させるステップと、
前記選択されたコンテンツ情報を加工するステップとを実行する健康管理方法であって、前記読み込んだコンテンツ情報を加工するステップにおいて、前記読み込んだ栄養量情報が予め設定された摂取栄養量の健康管理目標値に近い値であるほど、前記読み込んだコンテンツ情報が長く利用できるように加工する健康管理方法。
【請求項４】
商店で購入した健康管理対象物を摂取したときの栄養量情報とコンテンツ情報とを配信センター装置から受信するステップと、
前記受信したコンテンツ情報を使用者に選択させるステップと、
前記選択されたコンテンツ情報を加工するステップとを実行する健康管理方法であって、前記受信手段で受信したコンテンツ情報を加工するステップにおいて、前記受信した栄養量情報が予め設定された摂取栄養量の健康管理目標値に近い値であるほど、前記受信したコンテンツ情報が長く利用できるように加工する健康管理方法。
【発明の詳細な説明】
【０００１】
【発明の属する技術分野】
本発明は、健康管理方法、健康管理機器に関し、特に、記録媒体や通信を介して入力した健康管理情報を用いて最適な健康管理方法、健康管理機器を提供するものである。
【０００２】
【従来の技術】
従来の健康管理方法、健康管理機器について図面を参照しながら説明する。従来、この種の健康管理方法として、特開平１０−９１５８４号公報に開示されているものがある。
【０００３】
図１６に示されているように、コンビニエンスストアのストアコンピュータ１６０１は販売する食品の栄養情報を記録・管理しており、ホストコンピュータ１６０２に接続され、販売する食品の栄養情報を入力・記録できるようになっている。またストアコンピュータ１６０１はＰＯＳレジスター１６０３、読み取り機１６０４、発注端末機１６０５に接続している。
【０００４】
ストアコンピュータ１６０１は発注端末機１６０５から商品情報を記憶し、ＰＯＳレジスター１６０３からバーコードを入力すると、そのバーコードに対応した商品情報の栄養情報を読み取り機１６０４に出力する。そして栄養管理を行っている使用者はＩＣカード１６０６を読み取り機１６０４に接続し、前記栄養情報をＩＣカード１６０６に書き込む。そしてＩＣカード１６０６には、個人に必要な栄養管理データが記憶されており、前記摂取した栄養データと比較してその個人に摂取する食品のアドバイスを電子手帳を利用して行うものである。
【０００５】
【発明が解決しようとする課題】
しかしながら、前記従来の方法では、食物の栄養情報（健康管理情報）を健康管理機器（電子手帳など）に伝送して健康管理を行うユーザーの最適な食事や、どのような食物を摂取すればよいかをアドバイスできるものの、健康管理する者にそれを実行させることを促進するものではなかった。
【０００６】
例えば、商店でおにぎりを購入し、おにぎりの栄養情報を入手し健康管理機器に情報を記録し自分が摂取した栄養情報を管理したり、摂取した栄養情報に基づいて摂取食品のアドバイス又は健康アドバイスを行ったりする場合を考える。
【０００７】
ユーザーは商店でおにぎりを購入した場合、自分の所有しているＩＣカードを商店の読み取り機に接続し、購入したおにぎりの栄養情報を入手する必要がある。しかし、ユーザーにとっては購入する度にＩＣカードを持ち出し記録するのは面倒である。また食品栄養情報を入手する度に健康管理機器に情報を伝送し、健康アドバイスを得る場合、よほど健康を気にしている人でなければ面倒になり長く続かない恐れがあるため、食事による長期的な健康改善などを行う場合うまくいかないことが多くなる。すなわち、製造者や販売者が食品栄養情報を与えても健康管理する者が有効に活用するとは言えなかった。
【０００８】
加えて、おにぎりに限らず健康管理対象物の製造者は不特定多数の健康管理を行う使用者に対して自社の健康管理対象物を継続して購入してもらうことを目的とし、健康管理対象物の販売者は不特定多数の使用者に対して自分の商店で継続して購入してもらうことを目的としている。従来の方法ではこれを解決することができなかった。
【０００９】
本発明は、前記従来の課題を解決するもので、健康管理の為の情報を健康管理機器に入力し最適に健康管理することを、健康管理する者が必ず実行することを実現することを目的とする。また使用者が特定の製造者の健康管理対象物を継続して購入し、特定の販売者の商店で継続して購入し、健康管理情報を使用すればするほど使用者に役立つ情報を提供することを目的とする。
【００１０】
【課題を解決するための手段】
前記従来の課題を解決するために、本発明の健康管理方法は、画像や音楽を含むコンテンツ情報と健康管理情報とサービスポイント情報とを記録媒体から読み込み、コンテンツ情報とサービスポイント情報とを使用者に出力し、食品の栄養情報などの健康管理情報に基づいて健康管理するものである。そして健康管理情報とコンテンツ情報とサービスポイント情報とを融合した健康管理方法を提供することで健康管理情報の魅力を増し活用度を高めるものである。
【００１１】
【発明の実施の形態】
本発明は、画像や音楽を含むコンテンツ情報と健康管理情報とサービスポイント情報とを記録媒体から読み込む手順と、コンテンツ情報とサービスポイント情報とを使用者に出力する手順と、健康管理情報に基づいて健康管理する手順とを有する健康管理方法である。そして記録媒体に記録した健康管理情報とコンテンツ情報とサービスポイント情報とを融合した健康管理方法を提供するので健康管理情報の魅力を増し活用度を高めることができる。
【００１２】
また、本発明は、画像や音楽を含むコンテンツ情報と健康管理情報とサービスポイント情報とを通信によって受信する手順と、コンテンツ情報とサービスポイント情報とを使用者に出力する手順と、健康管理情報に基づいて健康管理する手順とを有する健康管理方法である。そして通信によって受信した健康管理情報とコンテンツ情報とサービスポイント情報とを融合した健康管理方法を提供するので健康管理情報の魅力を増し活用度を高めることができる。
【００１３】
また、本発明は、コンテンツ情報やその記憶保持期間は健康管理情報やサービスポイント情報に応じて変化したり選択できる方法である。そして、健康管理情報やサービスポイント情報に応じてコンテンツ情報とその記憶保持期間を変化させて使用者に提供するので、健康管理情報を有効に活用するためのコンテンツ情報やサービスポイント情報の魅力を高めることができる。
【００１４】
また、本発明は、コンテンツ情報の出力時間は健康管理目標達成度に応じて変化する方法である。そして、健康管理目標達成度に応じてコンテンツ情報の出力時間を変化させ、使用者の健康管理アドバイスを提供するので、健康管理情報を有効に活用するためのコンテンツ情報の魅力を高めることができる。
【００１５】
また、本発明は、サービスポイント情報は使用者が選択したコンテンツ情報やその記憶保持期間に応じて増減する方法である。そして、コンテンツ情報やその記憶保持期間に応じてサービスポイント情報が増減するので、健康管理情報を有効に活用するためのコンテンツ情報やサービスポイント情報の魅力を高めることができる。
【００１６】
また、本発明は、過去に出力したコンテンツ情報に関するコンテンツ履歴情報と、使用者が要望するコンテンツ情報に関するコンテンツ要望情報とのうち少なくとも一つを記憶し出力する方法である。そして、コンテンツ履歴情報とコンテンツ要望情報を記憶し出力するので、様々な使用者に対して健康管理情報を有効に活用するためのコンテンツ情報の魅力を高めることができる。
【００１７】
また、本発明は、健康管理情報には、健康管理対象物の情報と健康管理方法の情報と健康管理機器の情報のうち少なくとも一つを備える方法である。そして、健康管理対象物の情報と健康管理方法の情報と健康管理機器の情報を備えるので、健康管理対象物と健康管理機器に応じた健康管理アドバイスを提供し健康管理情報の活用度を高めることができる。
【００１８】
また、本発明は、コンテンツ情報には、時事情報や広告情報を含むものであり、健康管理情報を有効に活用するためのコンテンツ情報の魅力を高めることができる。
【００１９】
また、本発明は、複数のサービスポイント情報を集計演算し、一つの記録媒体に書き込む、または通信によって所定の相手に送信する方法である。そして、複数の記録媒体や通信によって得たサービスポイントを集計演算して記録媒体に書き込む、または通信によって所定の相手に送信するので、記録媒体や通信が複数あっても健康管理情報を有効に活用するためのサービスポイント情報の魅力を高めることができる。
【００２０】
また、本発明は、サービスポイント情報は、健康管理対象物の製造者別に集計演算したり、販売者別に集計演算する方法である。そして、サービスポイントを健康管理対象物の製造者別に集計演算したり、販売者別に集計演算するので、健康管理情報を有効に活用するためのサービスポイント情報の魅力を高めることができる。
【００２１】
また、本発明は、使用者から入力されたアンケート情報を記録媒体に書き込む、または通信回線によって所定の相手に送信する方法である。そして、アンケート情報を記録媒体に書き込む、または通信回線によって所定の相手に送信するので健康管理情報やコンテンツ情報、サービスポイント情報の魅力を高めることができる。
【００２２】
また、本発明は、画像や音楽を含むコンテンツ情報と健康管理情報とサービスポイント情報とを記録媒体から読み込む読込手段と、コンテンツ情報を加工して出力するコンテンツ情報処理手段と、健康管理情報によって健康管理機器本体を制御する健康管理情報処理手段と、サービスポイント情報を演算して出力するサービスポイント情報処理手段とを備えた健康管理機器である。そして記録媒体に記録した健康管理情報とコンテンツ情報とサービスポイント情報とを融合した健康管理機器を提供するので健康管理情報の魅力を増し活用度を高めることができる。
【００２３】
また、本発明は、画像や音楽を含むコンテンツ情報と健康管理情報とサービスポイント情報とを通信によって受信する受信手段と、コンテンツ情報を加工して出力するコンテンツ情報処理手段と、健康管理情報によって健康管理機器本体を制御する健康管理情報処理手段と、サービスポイント情報を演算して出力するサービスポイント情報処理手段とを備えた健康管理機器である。そして通信によって受信した健康管理情報とコンテンツ情報とサービスポイント情報とを融合した健康管理機器を提供するので健康管理情報の魅力を増し活用度を高めることができる。
【００２４】
また、本発明は、画像や音楽を含むコンテンツ情報と健康管理情報とサービスポイント情報とを記録媒体から読み込むステップと、コンテンツ情報とサービスポイント情報とを使用者に出力するステップと、健康管理情報に基づいて健康管理するステップを健康管理機器に実行させる為のプログラムを記録した記録媒体である。そして記録媒体に記録した健康管理情報とコンテンツ情報とサービスポイント情報とを融合した健康管理のプログラムを提供するので健康管理情報の魅力を増し活用度を高めることができる。
【００２５】
また、本発明は、画像や音楽を含むコンテンツ情報と健康管理情報と、サービスポイント情報とを通信によって受信するステップと、コンテンツ情報とサービスポイント情報とを使用者に出力するステップと、健康管理情報に基づいて健康管理するステップを健康管理機器に実行させる為のプログラムを記録した記録媒体である。そして通信によって受信した健康管理情報とコンテンツ情報とサービスポイント情報とを融合した健康管理のプログラムを提供するので健康管理情報の魅力を増し活用度を高めることができる。
【００２６】
また、本発明は、画像や音楽を含むコンテンツ情報と健康管理情報とサービスポイント情報とを記録した記録媒体である。そして、健康管理情報と、その健康管理情報を有効に活用するためのコンテンツ情報やサービスポイント情報とを同時に配布するので健康管理情報の魅力をさらに増し活用度を高めることができる。また、画像や音楽を含むコンテンツ情報と健康管理情報とサービスポイント情報とを記録し、前記コンテンツ情報と前記健康管理情報と前記サービスポイント情報とを健康管理機器の読込手段によって読み込ませ、前記コンテンツ情報をコンテンツ情報処理手段によって加工して出力させ、健康管理情報処理手段によって前記健康管理機器本体を制御させ、サービスポイント情報処理手段によって前記サービスポイント情報を演算して出力させる記録媒体である。そして記録媒体によって健康管理情報とコンテンツ情報とサービスポイント情報とを融合した健康管理機器を提供するので健康管理情報の魅力を増し活用度を高めることができる。
【００２７】
また、本発明は、画像や音楽を含むコンテンツ情報と健康管理情報とサービスポイント情報とを記録媒体から読み込むステップと、前記コンテンツ情報と前記サービスポイント情報とを使用者に出力するステップと、前記健康管理情報に基づいて健康管理するステップを健康管理機器に実行させるためのプログラムである。そして記録媒体に記録した健康管理情報とコンテンツ情報とサービスポイント情報とを融合した健康管理のプログラムを提供するので健康管理情報の魅力を増し活用度を高めることができる。
【００２８】
また、本発明は、画像や音楽を含むコンテンツ情報と健康管理情報とサービスポイント情報とを通信によって受信するステップと、前記コンテンツ情報と前記サービスポイント情報とを使用者に出力するステップと、前記健康管理情報に基づいて健康管理するステップを健康管理機器に実行させるためのプログラム。そして通信によって受信した健康管理情報とコンテンツ情報とサービスポイント情報とを融合した健康管理のプログラムを提供するので健康管理情報の魅力を増し活用度を高めることができる。
【００２９】
【実施例】
以下に、本発明の実施例について、図１〜図１５を参照しながら説明する。
【００３０】
（実施例１）
図１は、本発明の実施例１における健康管理機器のブロック図であり、図２は、その健康管理機器の外観図の一例である。
【００３１】
図１に示されるように、本実施例１の健康管理機器１は、画像や音楽を含むコンテンツ情報と健康管理情報とサービスポイント情報とを記録媒体２から読み込み、コンテンツ情報とサービスポイント情報とを使用者に出力し、健康管理情報（食品、健康食品、薬類の食品栄養情報）、すなわち摂取栄養量の管理を行い健康管理を行うものである。
【００３２】
記録媒体２は半導体メモリやディスク型、テープ型等のの光磁気記録メディアなどである。記録媒体２の中にプライバシー情報があれば読み書きするときに本人であることを確認する承認機能、他者に内容を見えなくする暗号化機能、著作権を備えた情報があればその内容を他者にコピーできなくする複製防止機能、重要な情報を誤って消去しないようにする書込防止機能など、記録媒体２は必要に応じてこれらの機能を有している。
【００３３】
健康管理機器１は、記録媒体２からコンテンツ情報と健康管理情報とサービスポイント情報やそれら情報の目次情報を読み込む読込手段３と、コンテンツ情報と健康管理情報とサービスポイント情報やそれら情報の目次情報を表示する表示手段４、表示した情報に基づいて使用者が選択情報を入力する選択手段５を備える。
【００３４】
加えて、読込手段３によって読み込み、選択手段５によって選択された情報は、コンテンツ情報を情報処理するコンテンツ情報処理手段６と、健康管理情報を情報処理する健康管理情報処理手段７と、サービスポイント情報を情報処理するサービスポイント情報処理手段８とに出力される。各々の情報処理手段の詳細は後述で説明する。
【００３５】
健康管理情報処理手段７から出力する食品栄養情報は健康管理機器制御手段９に入力し、健康管理機器制御手段９を介して健康アドバイス手段１０を制御する。健康アドバイス手段１０は、食品の栄養情報などの健康管理に必要な健康管理情報と、予め入力され使用者が摂取必要な栄養情報とで比較演算処理を行い、不足している栄養を摂取するようにアドバイスしたり、管理記録を残し健康的な生活を送っているかの栄養摂取達成度などの日々の履歴情報を演算し、使用者に伝える為に、健康管理上のアドバイスに関する文章・メッセージ、音声、画像を生成し、アドバイス内容をディスプレイモニタやスピーカなどで構成された出力手段１１に出力する。例えば今日１日に摂取した栄養情報を示し、不足気味な栄養と、どのように摂取したらよいかを毎日アドバイスする。
【００３６】
またコンテンツ情報処理手段６やサービスポイント情報処理手段８から出力する「加工したコンテンツ情報」や「集計演算したサービスポイント情報」は出力手段１１に入力して使用者に知らせる。出力手段１１は例えばディスプレイモニターやスピーカー、プリンタである。また、出力手段１１に出力した情報は記憶手段１２に記憶し、書込手段１３によって記録媒体２に書き込む。加えて、アンケート入力手段１４によって使用者が入力した情報や、過去に使用者が選択し出力手段１１に出力したコンテンツ情報の題目履歴であるコンテンツ履歴情報を記憶手段１２に記憶し、書込手段１３によって記録媒体２に書き込む。
【００３７】
図２に示されるように、本実施例１の健康管理機器２１は、画像や音楽を含むコンテンツ情報と健康管理情報とサービスポイント情報と記録した記録媒体を挿入する記録媒体読取部２２と、コンテンツ情報やサービスポイント情報、健康管理情報の内容を使用者に見せるディスプレイモニタ２３と、使用者に聞かせるスピーカー２４と、使用者が選択信号や入力信号を入力するキーボード２５を備える。
【００３８】
ここで、記録媒体読取部２２は図１の読込手段３に相当し、ディスプレイモニタ２３は表示手段４や出力手段１１や健康アドバイス手段１０に相当し、スピーカー２４は出力手段１１や健康アドバイス手段１０に相当し、キーボード２５は選択手段５やアンケート入力手段１４に相当する。なお、図示しないが、表示手段や出力手段は信号を他の機器に送信しその機器で表示したり出力しても構わない。他の機器は、例えば家庭内のオーディオ機器、ビデオ機器、テレビ、パソコン、携帯情報端末、携帯電話などである。また、選択手段や入力手段は健康管理機器本体に備えたスイッチ類やリモコンでも構わない。
【００３９】
以上のように、本発明の実施例１における健康管理機器は、画像や音楽を含むコンテンツ情報と健康管理情報とサービスポイント情報とを記録媒体から読み込み、コンテンツ情報とサービスポイント情報とを使用者に出力し、健康管理情報に基づいて健康管理を行う。
【００４０】
ここで、コンテンツ情報は例えば、使用者の趣味に関する情報、商品の広告に関する情報、ニュースなどの時事情報である。動画映像、静止画像、音楽のほか、テキスト情報や音声など様々な形態がある。
【００４１】
また、健康管理情報は使用者が健康管理機器を使用して健康管理を行う健康管理対象物（食品、薬類など）の摂取に伴う健康管理上の摂取栄養情報、使用者が一日に必要とする栄養量や健康管理上設定される栄養量管理情報である。例えば、健康管理対象物を特定する情報であればにんじんジュースの製造メーカー、商品名、品番などであり、健康管理するための情報は食品栄養情報（カロリー、ビタミン、タンパク質、脂肪分の量など）や、その食品を摂取したときに得られる栄養量情報などがある。また、栄養量管理情報は、自ら目標設定したり、血圧やコレステロールなどの健康情報、年齢、身長、体重などの個人情報から生成される情報である。
【００４２】
サービスポイント情報は指定の商品を購入したり、指定の商店や方法で購入した時に使用者に与えられるサービスポイントの情報である。例えば、購入金額が１円につき１ポイントとする。使用者は自分が獲得したサービスポイントに応じてコンテンツ情報を選択することができる。また選択したコンテンツ情報に応じてサービスポイントが増えたり減ったりする。詳細は後で説明する。
【００４３】
以上の情報は、例えば健康管理対象物を商店で購入するときに、その商店にある情報書込装置で記録媒体に書き込んでもらったり、商店にある情報発信装置から公衆回線やインターネットを用いて使用者宅のパーソナルコンピュータ（以下、パソコン）に送信され、使用者がパソコンを用いて記録媒体に書き込む等、様々な方法が考えられる。
【００４４】
以下に、健康管理方法について説明する。
【００４５】
図３は、本発明の実施例１における健康管理機器の動作を説明するためのフローチャートであり、図４、５、６は、本発明の実施例１における健康管理機器のディスプレイモニタに表示する表示画面を示す図である。
【００４６】
まず、健康管理機器の動作を開始し（ステップＳ３０１）、記録媒体２から健康管理情報・コンテンツ情報・サービスポイント情報を読込手段３で読み込み、表示手段であるディスプレイモニタに表示し、使用者の要望に基づいて選択手段５で選択する（ステップＳ３０２）。
【００４７】
図４はこのとき、健康管理記録をする前に健康管理機器に表示する画面の一例である。
【００４８】
健康管理情報の一つとして、購入物品リストを表示し使用者が健康管理に使用する摂取した食品・薬類など希望する健康管理対象物を選択させる。図中ではにんじんジュースやビタミン剤である。また図示しないが、それぞれの摂取した時に得られる食品栄養情報を入力又は自動入力する。また健康管理情報の一つとして、使用者が１日に摂取を目標とする栄養量管理情報がある。
【００４９】
サービスポイント情報の一つとして、今回使用者が獲得したサービスポイントや今までのサービスポイント累計を表示する。また、次に述べるコンテンツ情報を選択する場合に必要なサービスポイントを表示する。
【００５０】
コンテンツ情報の一つとして、記録媒体に記録している画像や音楽の題目を表示し、使用者の希望するコンテンツを選択させる。各コンテンツ情報とサービスポイント情報との相関情報も記録媒体に記録されており、コンテンツに応じてサービスポイントが増えたり減ったりする。
【００５１】
また、コンテンツ情報の記憶保持期間を示しており、これは健康管理対象物（食品など）の賞味期限に関連づけられている。すなわち、図中での賞味期限とコンテンツ情報の記憶保持期間とは一致させ、賞味期限内ににんじんジュースを摂取し、健康管理記録を行わなければコンテンツ情報を見ることができないものとしている。これによって健康管理対象物の賞味期限を使用者に強く意識づけることができる。
【００５２】
また、図のように健康管理対象物が複数あれば、コンテンツ情報の記憶保持期間はその賞味期限の中で一番短いものとしている。なお、健康管理記録済みの健康管理対処品については、健康管理対象物リストから除外し、記憶保持期間の対象から除外する。
【００５３】
次に、健康管理情報処理手段は、健康管理情報の中から適当な健康管理対象物と健康管理機器を決定し、健康管理アドバイス情報を演算処理する（ステップＳ３０３）。例えば、「今日はビタミンＣの摂取が不足気味です。いちごやみかん１個以上を食べると良いです。」などのアドバイスである。
【００５４】
また、これと並列してコンテンツ情報処理手段６は、使用者が選択したコンテンツ情報を選択し、記憶し、加工する（ステップＳ３０４）。ここでコンテンツ情報処理手段は、目標とする栄養量管理情報に対して良好な摂取内容であればあるほどコンテンツ情報の出力が長くなるように加工する。例えば、カルシウム不足指摘されカルシウム摂取を心がけている人の場合、カルシウムを多く含む食品、牛乳、魚、カルシウム栄養材などを摂取した場合は、通常よりコンテンツ情報を長く出力するようにする。すなわち、健康管理目標の達成度合いに応じて変化する。
【００５５】
また、健康管理機器が備える出力手段１１に応じてコンテンツ情報を加工する。例えば、ディスプレイモニタのサイズを考慮した映像としたり、スピーカーサイズを考慮した音質に加工する。
【００５６】
また、これと並列してサービスポイント処理手段８は、使用者が選択したコンテンツ情報に対応するサービスポイント情報を選択し、演算し、記憶・表示する（ステップＳ３０５）。ここで、サービスポイント情報処理手段は製造者別のサービスポイント情報を集計演算し、販売者別のサービスポイント情報を集計演算して記憶する。
【００５７】
次に、健康管理アドバイス情報に基づいて、ユーザーにアドバイスを文字、音声、画像によってアドバイスを行い健康管理記録を取って健康管理するとともに、コンテンツ情報の出力を開始する（ステップＳ３０６）。健康管理記録を行った後は健康管理機器にコンテンツ情報の画像が表示され音楽が流れる。
【００５８】
そして、ユーザーの栄養量管理情報と摂取栄養情報から得られる健康管理評価の達成度に応じてコンテンツ情報の出力を終了する（ステップＳ３０７）。この後、サービスポイント情報を表示し、コンテンツ履歴情報や要望情報、アンケート情報を入力し記録媒体に書き込み（ステップＳ３０８）動作を終了する（ステップＳ３０９）。
【００５９】
図５はこのとき、サービスポイント情報の表示の時に健康管理機器に表示する画面の一例である。サービスポイント情報の一つとして、今まで獲得したサービスポイントやコンテンツ情報の選択によって使用したサービスポイントを表示する。また、健康管理対象物の製造者別に集計演算したサービスポイントと購入した商店別に集計演算したサービスポイントを表示する。
【００６０】
なお、サービスポイント情報が記録された記録媒体は一つに限らない。購入先の商店によって記録媒体が異なる等がある。したがって、複数の記録媒体に記録されたサービスポイント情報は調理機器によって集計演算し、「今まで獲得したサービスポイント情報」として一つにまとめて記録媒体２に書き込む。
【００６１】
コンテンツ情報の一つとして、記録媒体に記録している画像や音楽の題目を表示し、使用者の希望するコンテンツを選択させる。すでに選択済みの情報はその旨を表示する。コンテンツ情報の記憶保持期間は、まだ摂取していない食品などの健康管理対象物の中で賞味期限が一番短いものとしている。また、サービスポイントを使って記憶保持時間を延長することができる。例えば１週間延長するためにはサービスポイントが７ポイント必要である。
【００６２】
図６はコンテンツ要望情報やアンケート情報を入力するときに健康管理機器に表示する画面の一例である。
【００６３】
コンテンツ要望情報の一つとして、使用者が今後望むコンテンツ情報を入力させる。またアンケート情報の一つとして、健康管理対象物の製造者に対する感想や要望、健康管理対象物を購入した商店に対する感想や要望がある。
【００６４】
また、コンテンツ履歴情報の一つとして、その使用者が過去に選択したコンテンツ情報の題目一覧や再生回数がある。これらは使用者に表示したり入力させたりすることはないが、コンテンツ情報処理手段内で記録される。
【００６５】
また、アンケート情報の一つとして、図示しないが、使用者の住所、氏名、連絡先の他に、性別や家族構成などがある。これらは健康管理機器の記憶手段に記憶しておく方法や、記録媒体に記録しておく方法がある。プライバシー情報なので記録媒体に記録しておく場合は、読み書きするときに本人であることを確認する承認機能、他者に内容を見えなくする暗号化機能、重要な情報を誤って消去しないようにする書込防止機能を備える。
【００６６】
以上のように生成したサービスポイント情報やコンテンツ履歴情報、コンテンツ要望情報、アンケート情報は記録媒体２に書き込む。
【００６７】
次に、本発明の実施例１における情報書込装置を説明する。
【００６８】
情報書込装置とは、記録媒体２に記録したサービスポイント情報やコンテンツ履歴情報、コンテンツ要望情報、アンケート情報記録を読み出し、新たなコンテンツ情報や健康管理情報、サービス情報を記録媒体２に書き込む装置である。例えば健康管理対象物を商店で購入するときに、その商店に情報書込装置を置いて記録媒体に書き込むものである。
【００６９】
図７に情報書込装置７１のブロック図を示す。
【００７０】
記録媒体に書き込まれたサービスポイント情報やコンテンツ履歴情報、コンテンツ要望情報、アンケート情報を読み込む読込手段７２，読み込んだ情報を記憶する記憶手段７３、サービスポイント情報やコンテンツ履歴情報、コンテンツ要望情報、アンケート情報を集計する集計手段７４、集計した結果に基づいた新たなコンテンツ情報とサービスポイント情報と健康管理情報とを選択する選択手段７５、選択した情報を記録媒体２に書き込む書込手段７６とを備える。
【００７１】
図８は、情報書込装置の動作を説明するためのフローチャートである。
【００７２】
情報書込装置に記録媒体２を挿入して動作を開始し（ステップ８０１）、サービスポイント情報やコンテンツ履歴情報、コンテンツ要望情報、アンケート情報記録を、読込手段７２で読み込み、記憶手段７３で記憶する（ステップ８０２）。
【００７３】
次に読み込んだ情報を集計手段７４で集計する（ステップ８０３）。例えば、サービスポイント情報から使用者がよく購入する商品と販売店、コンテンツ履歴情報から使用者が好むコンテンツ情報の傾向、アンケート情報から使用者が重視する製造者の傾向、販売店などである。個人毎に集計し、さらに複数の使用者群で集計する。
【００７４】
これらの集計データを使って、消費者の動向分析、売れ筋商品の特定、商品の需要量、その需要時期等の情報を分析することができる。さらに詳しくは、特定の消費者の消費サイクルからその消費者が次に何をいつ購入するであろう等の情報も得られる。
【００７５】
また、各販売店で読み込んだ集計データを一カ所で集計すれば、各販売店ごとにまちまちであった特定の商品の売れ行きを総合し、その特定商品の全体的な売れ行きを把握でき、売れ筋商品の推移から、流行しそうな新商品の予測や、既存の商品の生産管理等、販売者・製造者にとって極めて有用な情報を得ることができる。
【００７６】
そして集計結果に基づいて新たなコンテンツ情報を選択手段７５で選択し、そのときに購入した健康管理対象物の健康管理情報、購入することで獲得したサービスポイント情報を入力する（ステップＳ８０４）。コンテンツ情報・健康管理情報・サービスポイント情報を記録媒体２に書込手段７６によって書き込み（ステップＳ８０５）、情報書込装置の動作を終了する（ステップ８０６）。
【００７７】
次に健康管理情報処理手段について説明する。
【００７８】
図９は、健康管理情報処理手段を説明するブロック図である。
【００７９】
健康管理情報処理手段９１は、健康管理対象物の情報である健康管理情報を入力して健康管理対象物を決定する健康管理対象物決定手段９２、ユーザーの健康管理情報である栄養量管理情報を入力または個人情報を入力して生成する栄養量管理情報決定手段９３、健康管理対象物決定手段９２と栄養量管理情報決定手段９３との出力から健康管理アドバイス情報を演算し情報を出力する健康管理アドバイス情報演算手段９４、健康管理アドバイス情報を記憶して出力する健康管理アドバイス情報記憶手段９５とを備える。
【００８０】
次にサービスポイント情報処理手段について説明する。
【００８１】
図１０は、サービスポイント情報処理手段を説明するブロック図である。
【００８２】
サービスポイント情報処理手段１０１は、獲得したサービスポイント情報と、使用者が選択したコンテンツやそのコンテンツの記憶保持期間の関するサービスポイント情報とを入力して使用したサービスポイント情報や未使用のサービスポイント情報を集計演算するサービスポイント集計手段１０２と、集計演算したサービスポイント情報を製造者別に記憶する製造者別記憶手段１０３と、集計演算したサービスポイント情報を販売者別に記憶する販売者別記憶手段１０４とを備える。
【００８３】
次にコンテンツ情報処理手段について説明する。
【００８４】
図１１は、コンテンツ情報処理手段を説明するブロック図である。
【００８５】
コンテンツ情報処理手段１１１は、記憶保持期間の情報を入力して記憶保持期間を計時する時計手段１１２と、コンテンツ情報を記憶して記憶保持期間を過ぎたときにコンテンツ情報を消去するコンテンツ情報記憶手段１１３と、使用者の選択情報を入力してコンテンツ情報を選択するコンテンツ情報選択手段１１４と、栄養量管理情報や健康管理機器の情報に基づいてコンテンツ情報を加工するコンテンツ情報加工手段１１５とを備える。また、選択したコンテンツ情報の題目を記憶しコンテンツ履歴情報を出力するコンテンツ履歴情報記憶手段１１６、コンテンツ要望情報入力手段１１７から入力される、使用者の要望するコンテンツ情報の題目を記憶しコンテンツ要望情報を出力するコンテンツ要望情報記憶手段１１８とを備える。
【００８６】
以上のように、本発明によれば、記録媒体に記録した健康管理情報とコンテンツ情報とサービスポイント情報とを融合した健康管理方法と健康管理機器とを提供するので健康管理情報（すなわち栄養情報）の魅力を増し活用度を高めることができるという効果がある。
【００８７】
すなわち、健康管理情報やサービスポイント情報に応じて最適なコンテンツ情報とその記憶保持期間を使用者に提供し、健康管理評価によってコンテンツ情報の出力時間を変化させて使用者に提供し、また、コンテンツ情報やその記憶保持期間に応じてサービスポイント情報が増減するので、健康管理情報を有効に活用するためのコンテンツ情報やサービスポイント情報の魅力を高めることができる。
【００８８】
そして、健康管理情報には、健康管理対象物の情報と健康管理を行う為の使用者の栄養量管理情報を備えるので、健康管理対象物に応じた健康管理アドバイス情報を提供し健康管理情報の活用度を高めることができる。
【００８９】
また、コンテンツ情報には、時事情報や広告を含み、過去に出力したコンテンツ情報に関するコンテンツ履歴情報と、使用者が要望するコンテンツ情報に関するコンテンツ要望情報とを記憶し、記録媒体に書き込んだり通信によって所定の相手に伝えるので、製造者や販売者は貴重な情報を収集することができ、サービスポイント情報の魅力をさらに高めて使用者に提供することができる。
【００９０】
また、サービスポイントは、健康管理対象物の製造者別、販売者別に集計演算し、記録媒体に書き込んだり通信によって所定の相手に伝えるので、製造者や販売者は貴重な情報を収集することができ、サービスポイント情報の魅力をさらに高めて使用者に提供することができる。同様に、使用者から入力されたアンケート情報をを記録媒体に書き込む、または通信によって所定の相手に伝えるので製造者や販売者は貴重な情報を収集することができ、サービスポイント情報の魅力をさらに高めて使用者に提供することができる。
【００９１】
以上のように、記録媒体に記録した健康管理情報とコンテンツ情報とサービスポイント情報とを融合した健康管理方法と健康管理機器とを提供するので健康管理対象物（食品など）の栄養量情報である健康管理情報の魅力を増し活用度を高めることができるものである。
【００９２】
（実施例２）
図１２は本発明の実施例２の健康管理機器の動作を説明するためのフローチャートである。健康管理機器のブロック図は図１、図７、図９〜１１と同じなので説明は省略する。
【００９３】
実施例１と異なる点は、健康管理情報処理手段の処理とコンテンツ情報処理手段の処理とサービスポイント情報処理手段の処理とを順次行うこと、そしてコンテンツ情報の題目一覧情報を取り扱うことである。図１２に示すように、健康管理機器の動作開始（ステップＳ１２０１）後、サービスポイント情報の読込・表示・選択を行い（ステップＳ１２０２）、コンテンツ情報の題目一覧情報の読込・表示・選択を行い（ステップＳ１２０３）、健康管理情報の読込・表示・選択と健康管理対象物と健康管理機器の決定、および健康管理アドバイス情報の演算を行う（ステップＳ１２０４）。選択されたコンテンツ情報を記録媒体から読込・記憶・加工する（ステップ１２０５）。
【００９４】
以下は図３と同じで、健康管理アドバイス情報出力・コンテンツ情報の出力開始（ステップＳ１２０６）、コンテンツ情報の出力終了（ステップＳ１２０７）、サービスポイント情報・コンテンツ履歴情報・アンケート情報の表示・入力・書込をして（ステップ１２０８）、健康管理機器の動作を終了する（ステップＳ１２０９）。
【００９５】
このようにコンテンツ情報の題目一覧を用いることで、コンテンツ情報と健康管理情報とサービスポイント情報の概要を迅速に表示することができる。全ての情報を記録媒体から読み込む場合に比べ読込時間を短縮することができる。
【００９６】
また、健康管理情報処理手段７の処理とコンテンツ情報処理手段の６処理とサービスポイント情報処理手段８の処理とを順次行う順序は、本実施例に限るものでなくおのおのの情報の内容に応じて適当に入れ替えてもよい。
【００９７】
（実施例３）
図１３は本発明の実施例３の健康管理機器のブロック図であり、図１４は健康管理機器の動作を説明するためのフローチャートである。
【００９８】
実施例１と異なる点は、配信センター装置１３０２を設け、健康管理機器と通信することによってリアルタイムに情報のやりとりができることである。配信センター装置は、サービスポイント情報やコンテンツ履歴情報、コンテンツ要望情報、アンケート情報記録を通信によって受信し、新たなコンテンツ情報や健康管理情報、サービス情報を健康管理機器に送信する装置である。
【００９９】
例えば健康管理対象物を商店や通信販売で購入するときに、商店や販売者の配信センター装置から公衆回線やインターネットを用いて使用者宅の健康管理機器に送信するものである。配信センター装置と健康管理機器とを接続して通信する方法は電話やＩＳＤＮのように公衆回線や、専用回線、電灯線、赤外線、無線電波等を用いればよい。
【０１００】
健康管理機器１３０１は、配信センター装置１３０２から送信されるコンテンツ情報と健康管理情報とサービスポイント情報やそれら情報の目次情報を受信する受信手段１３０３と、コンテンツ情報と健康管理情報とサービスポイント情報やそれら情報の目次情報を表示する表示手段１３０４、表示した情報に基づいて使用者が選択情報を入力する選択手段１３０５を備える。
【０１０１】
加えて、受信手段１３０３によって受信し、選択手段１３０５によって選択された情報は、コンテンツ情報を情報処理するコンテンツ情報処理手段１３０６と、健康管理情報を情報処理する健康管理情報処理手段１３０７と、サービスポイント情報を情報処理するサービスポイント情報処理手段１３０８とに出力される。
【０１０２】
健康管理情報処理手段７から出力する健康管理アドバイス情報は健康管理機器制御手段１３０９に入力し、健康管理機器制御手段１３０９を介して液晶ディスプレイやスピーカなどで構成された健康アドバイス手段１３１０を制御する。またコンテンツ情報処理手段１３０６やサービスポイント情報処理手段１３０８から出力する「加工したコンテンツ情報」や「集計演算したサービスポイント情報」は出力手段１３１１に入力して使用者に知らせる。出力手段１３１１は例えばディスプレイモニターやスピーカー、プリンタである。また、出力手段１３１１に出力した情報は記憶手段１３１２に記憶し、送信手段１３１３によって配信センター装置１３０２に送信する。加えて、アンケート入力手段１３１４によって使用者が入力した情報や、過去に使用者が選択し出力手段１３１１に出力したコンテンツ情報の題目履歴であるコンテンツ履歴情報を記憶手段１３１２に記憶し、送信手段１３１３によって配信センター装置１３０２に送信する。
【０１０３】
各々の情報処理手段の詳細は図９、１０、１１と同じなので説明を省略する。
【０１０４】
配信センター装置１３０２は、健康管理機器１３０１から受信したサービスポイント情報やコンテンツ履歴情報、コンテンツ要望情報、アンケート情報を受信する受信手段１３１５，受信した情報を記憶する記憶手段１３１６、サービスポイント情報やコンテンツ履歴情報、コンテンツ要望情報、アンケート情報を集計する集計手段１３１７、集計した結果に基づいた新たなコンテンツ情報と、サービスポイント情報と健康管理情報とを選択する選択手段１３１８、選択した情報を健康管理機器１に送信する送信手段１３１９とを備える。
【０１０５】
図１４に示すように、健康管理機器の動作開始（ステップＳ１４０１）後、サービスポイント情報の受信・表示・選択を行い（ステップＳ１４０２）、コンテンツ情報の題目一覧情報の受信・表示・選択を行い（ステップＳ１４０３）、健康管理情報の受信・表示・選択と健康管理対象物と健康管理機器の決定、および健康管理アドバイス情報の演算を行う（ステップＳ１４０４）。選択されたコンテンツ情報を配信センター装置から受信・記憶・加工する（ステップ１４０５）。
【０１０６】
健康管理アドバイス情報・コンテンツ情報の出力開始し（ステップＳ１４０６）、コンテンツ情報の出力を終了する（ステップＳ１４０７）。その後、サービスポイント情報・コンテンツ履歴情報・アンケート情報の表示・入力し配信センター装置へ送信をして（ステップ１４０８）、健康管理機器の動作を終了する（ステップＳ１４０９）。
【０１０７】
また図１５は、配信センター装置の動作を説明するためのフローチャートである。
【０１０８】
通信回線やインターネットを介して健康管理機器と接続して動作を開始し（ステップ１５０１）、サービスポイント情報やコンテンツ履歴情報、コンテンツ要望情報、アンケート情報記録を健康管理機器から受信し記憶する（ステップ１５０２）。
【０１０９】
次に受信した情報を集計する（ステップ１５０３）。例えば、使用者の選択し好むコンテンツ情報の傾向や、サービスポイントに応じて選択可能なコンテンツ情報の種類、使用者が健康管理対象物を購入する製造者の傾向、販売店の傾向などである。
【０１１０】
そして集計結果に基づいて新たなコンテンツ情報を選択し、そのときに購入した健康管理対象物の健康管理情報、購入することで獲得したサービスポイント情報を入力する（ステップＳ１５０４）。コンテンツ情報・健康管理情報・サービスポイント情報を健康管理機器に送信し（ステップＳ１５０５）、配信センター装置の動作を終了する（ステップ１５０６）。
【０１１１】
なお、アンケート情報の一つとして、使用者の住所、氏名、連絡先の他に、性別や家族構成などがある。プライバシー情報なので、健康管理機器と配信センター装置とで通信する場合は、通信相手が本人であることを確認する承認機能、他者に内容を見えなくする暗号化機能を備える。
【０１１２】
以上のように、本発明によれば、通信によって受信した健康管理情報とコンテンツ情報とサービスポイント情報とを融合した健康管理方法・健康管理機器を提供するので健康管理情報の魅力を増し活用度を高めることができるという効果がある。
【０１１３】
なお、上記実施例の健康管理方法・健康管理機器を実現するプログラムやそれを記録した情報記録媒体を健康管理機器に供給し、健康管理機器がこのプログラムを実行するようにしてもよい。
【０１１４】
なお、本実施例では健康管理と同時にコンテンツ情報を出力するものとして説明したが、これに限るものではなくコンテンツ情報の記憶保存期間中であればいつでも出力できるものである。
【０１１５】
また、本実施例では健康管理機器の一例として健康管理機器で説明したが、健康管理対象物に応じて健康管理アドバイス情報が提供される健康管理機器であればよい。例えば、栄養情報から健康管理アドバイスを行うとともに、血圧計、心電計、体温計、血糖計などが接続され、それらの計測値と関連づけて健康管理アドバイスを行う健康管理機器であっても良い。また健康管理アドバイスを得る健康管理機器は携帯情報端末、携帯電話、パソコン、テレビ、ゲーム機など表示装置が付いているものであれば何でもよい。また、健康管理対象物は商店で購入した物品を記録媒体に書き込んだりする他、レストラン等で食事した内容を記録媒体に書き込み、摂取した栄養やカロリーを読み込んで健康管理してもよい。
【０１１６】
【発明の効果】
このように、本発明の健康管理方法、健康管理機器、及びそのプログラムによれば、食品の栄養情報などの健康管理情報を健康管理機器に入力し、自分に必要な栄養量管理情報と比較演算して健康管理アドバイスを行うとともに、コンテンツ情報、サービスポイント情報と融合した健康管理方法を提供することでアミューズメント性を持たせ、遊び感覚にすることができ、健康管理する者が必ず実行することを習慣化、継続化しやすくなり、使用者の健康維持・促進を図ることができるようになる。
【０１１７】
また使用者が特定の製造者の健康管理対象物を継続して購入し、特定の販売者の商店等で継続して購入し、健康管理情報を使用すればするほど使用者に役立つ情報を提供することが可能となる。
【図面の簡単な説明】
【図１】本発明の実施例１、２における健康管理機器のブロック図
【図２】同健康管理機器の外観図
【図３】本発明の実施例１における健康管理機器の動作を示すフローチャート
【図４】同健康管理機器の表示画面を示す図
【図５】同健康管理機器の表示画面を示す図
【図６】同健康管理機器の表示画面を示す図
【図７】同情報書込装置のブロック図
【図８】同情報書込装置の動作を示すフローチャート
【図９】同健康管理情報処理手段のブロック図
【図１０】同サービスポイント情報処理手段のブロック図
【図１１】同コンテンツ情報処理手段のブロック図
【図１２】本発明の実施例２における健康管理機器の動作を示すフローチャート
【図１３】本発明の実施例３における健康管理機器と配信センター装置のブロック図
【図１４】同健康管理機器の動作を示すフローチャート
【図１５】同配信センター装置の動作を示すフローチャート
【図１６】従来の健康管理機器のブロック図
【符号の説明】
１、１３０１  健康管理機器
２  記録媒体
３  読込手段
６、１３０６  コンテンツ情報処理手段
７、９１、１３０７  健康管理情報処理手段
８、１０１、１３０８  サービスポイント情報処理手段
９、１１１、１３０９  健康管理機器制御手段
１０、１３１０  健康アドバイス手段
１１、１３１１  出力手段
１２、１３１２  記憶手段
１３  書込手段
１４、１３１４  アンケート入力手段
９２  健康管理対象物決定手段
９３  健康管理機器決定手段
９４  健康管理アドバイス情報演算手段
１０２  サービスポイント集計手段
１０３  製造者別記憶手段
１０４  販売者別記憶手段
１１３  コンテンツ情報記憶手段
１１４  コンテンツ情報選択手段
１１５  コンテンツ情報加工手段
１１６  コンテンツ履歴情報記憶手段
１１７  コンテンツ要望情報記憶手段
１３０３  受信手段
１３１３  送信手段
【図１】
0004686894.tif 000002
【図２】
0004686894.tif 000003
【図３】
0004686894.tif 000004
【図４】
0004686894.tif 000005
【図５】
0004686894.tif 000006
【図６】
0004686894.tif 000007
【図７】
0004686894.tif 000008
【図８】
0004686894.tif 000009
【図９】
0004686894.tif 000010
【図１０】
0004686894.tif 000011
【図１１】
0004686894.tif 000012
【図１２】
0004686894.tif 000013
【図１３】
0004686894.tif 000014
【図１４】
0004686894.tif 000015
【図１５】
0004686894.tif 000016
【図１６】
0004686894.tif 000017